(57)【要約】      （修正有）【課題】ネットワークを利用した広告において、広告主が迅速に適切な広告記事作成者を選定できるようにし、且つ、広告効果を上げる成果報酬型広告記事作成システムを提供する。【解決手段】システム運営者だけが利用可能な広告記事作成者能力評価データベースを有し、広告主からの広告作成依頼があった場合、同データベースに基づきシステム運営者が広告主に適した広告記事作成者を選定する。【選択図】図１
2018147454.tif 000002
【特許請求の範囲】
【請求項１】
広告主と広告記事作成者とシステム運営者がそれぞれインターネットに接続できる情報処理機器を用いて、広告主の広告作成依頼を広告記事作成者が受諾して広告記事を作成し、同記事の効果で集客があった場合のみ広告主から広告記事作成者に報酬が支払われるシステムであって、システム運営者だけが利用可能な広告記事作成者能力評価データベースを有し、広告主からの広告作成依頼があった場合、同データベースに基づきシステム運営者が広告記事作成者を選定する成果報酬型広告記事作成システム
【請求項２】
作成された記事を広告記事作成者のソーシャルネットワーキングサービスサーバに掲載することを特徴とする、請求項１の成果報酬型広告記事作成システム
【発明の詳細な説明】
【技術分野】
【０００１】本発明は、ネットワークを利用した広告において、広告主が迅速に適切な広告記事作成者を選定できるようになし、且つ広告効果を上げる成果報酬型広告記事作成システムに関する。
【背景技術】
【０００２】広告主と広告記事作成者とシステム運営者がそれぞれインターネットに接続できる情報処理機器を用いて、広告主の広告作成依頼を広告記事作成者が受諾して広告記事を作成し、同記事の効果で広告主の商品もしくはサービスの販売があった場合のみ広告主から広告記事作成者に報酬が支払われる成果報酬型広告記事作成システムが、特許文献１に記載されている。
【先行技術文献】
【特許文献】
【０００３】
【特許文献１】特開２００１−１１７８４７
【発明の概要】
【発明が解決しようとする課題】
【０００４】しかしながら従来から知られている技術には以下のような課題があった。【０００５】特許文献１においては、広告記事作成者が成果報酬を目指して広告主にリンクされる広告をサイトに公開するためには、システム運営者のサイトを介して広告主に記事作成希望を伝える。【０００６】広告主は記事作成者のサイト内容を閲覧し、記事作成者が自社広告を出すのにふさわしいかどうか判断し、ふさわしいと判断した場合に記事作成者に許諾を与えるが、広告主が時間や手間をかけて適切な広告記事記載者を選定しなければならない、という第一の課題があった。【０００７】また、広告記事作成者のサイトが一般的な個人ブログの場合、そのサイトを閲覧する顧客の特性が不明で、対象顧客に向けた広告効果が十分に機能しない場合がある、という第二の課題があった。
【課題を解決するための手段】
【０００８】第一の課題を解決するための手段として、本発明では広告主と広告記事作成者とシステム運営者がそれぞれインターネットに接続できる情報処理機器を用いて、広告主の広告作成依頼を広告記事作成者が受諾して広告記事を作成し、同記事の効果で集客があった場合のみ広告主から広告記事作成者に報酬が支払われるシステムであって、システム運営者だけが利用可能な広告記事作成者能力評価データベースを有し、広告主からの広告作成依頼があった場合、同データベースに基づきシステム運営者が、広告記事作成者を選定する成果報酬型広告記事作成システムとした。【０００９】第二の課題を解決するための手段として、本発明では作成された記事を広告記事作成者のソーシャルネットワーキングサービス（以下ＳＮＳと略す）サーバに掲載することを特徴とする成果報酬型広告記事作成システムとした。
【発明の効果】
【００１０】本発明の第一の手段では、システム運営者だけが利用可能な広告記事作成者能力評価データベースを有し、広告主の広告作成依頼があった場合、同データベースに基づきシステム運営者が広告記事作成者を選定することから、広告主は広告記事作成者のサイトを閲覧することなく、迅速に適切な記事作成者を選択できる効果がある。【００１１】本発明の第二の手段では、第一の手段に加えて広告記事作成者のサイトがＳＮＳサーバであるため、閲覧者の嗜好が類似する場合が多く、そのサイトを閲覧する顧客の特性が明確で、対象顧客に向けた広告効果が十分に機能する可能性が高い効果がある。【００１２】特に記事作成者が、芸能人、スポーツ選手などの場合、記事が掲載されるＳＮＳサイトを閲覧する顧客は記事作成者のファンである場合が多く、記事内容への共感も高く広告効果が期待できる。
【図面の簡単な説明】
【００１３】
【図１】  実施例１の成果報酬型広告記事作成システム構成例
【図２】  実施例２の成果報酬型広告記事作成システム構成例
【図３】  従来例の成果報酬型広告記事作成システム構成例
【発明を実施するための形態】
【００１４】以下、発明の実施例を通じて本発明を説明するが、以下の実施例は特許請求の範囲にかかる発明を限定するものではない。また、実施例の中で説明されている特徴の組み合わせの全てが発明の解決手段に必須であるとは限らない。また、図面を参照して、実施例について説明するが、図面の記載において、同一または類似の部分には同一の参照番号を付して重複する説明を省く場合がある。
【実施例１】
【００１５】図１の実施例１は、本発明の第一の手段を用いた成果報酬型広告記事作成システム構成例である。【００１６】本システムのハードウェアは広告主サーバ１００、広告記事作成者サーバ２００、顧客通信端末３００、インターネット４００、システム運営サーバ５００から成り立っている。【００１７】広告主サーバ、広告記事サーバ、顧客通信端末、システム運営サーバはインターネットを介して接続されて、互いにデータを送受できるようになっている。【００１８】広告主サーバ１００上に広告主サイト１１０があり、広告主サイト上に広告主のページ１１１がある。【００１９】広告記事作成者サーバ２００上に広告記事作成者サイト２１０があり、広告記事作成者サイト上に広告主のページにリンクされた広告２１１がある。【００２０】システム運営サーバ５００上にはシステム運営者サイト５１０、マスターサーバプログラム５２０、広告主データベース（以下ＤＢと略す）５３０、広告記事作成者ＤＢ５４０、広告記事作成者能力評価ＤＢ５５０、広告記事作成者能力評価プログラム５６０がある。【００２１】広告主ＤＢは広告主の識別番号別ＩＤ、パスワード、広告主サイトのＵＲＬ、広告主のページにリンクされた広告から入った顧客が購入した商品もしくはサービスの単価、個数、成功報酬、社名、代表者名、住所、電話番号、ファクシミリ番号、成功報酬の振込先となる金融機関の口座番号などのデータを保持する。【００２２】広告記事作成者ＤＢは広告記事作成者識別番号別ＩＤ、パスワード、当該広告記事作成者サイトのＵＲＬ、社名、代表者名、住所、電話番号、ファクシミリ番号、成功報酬の振込先となる金融機関の口座などのデータを保持する。【００２３】広告記事作成者能力評価ＤＢは広告記事作成者識別番号別ＩＤ、広告主業種別販売実績数、販売実績継時変化、記事記載内容の誠意、迫力、独創性、正確さ、親近感などの評価データを保持する。【００２４】広告記事作成者能力評価プログラムは、適宜広告主ＤＢおよび広告記事作成者ＤＢを参照し、広告主ページにリンクされた広告を取り込み、かつ分析評価を行い、広告記事作成者能力評価ＤＢを更新する。【００２５】広告記事作成者能力評価プログラムに代わり、システム運営者が広告主ページにリンクされた広告を分析評価し、広告記事作成者能力評価ＤＢを更新することも本発明に含まれるものとする。【００２６】広告主は、アクセスした顧客が購入可能な商品もしくはサービスを広告主のページに掲載する。【００２７】広告主はまたシステム運営者サイトにアクセスして、広告主のページにリンクされた広告記事を作成する広告記事作成者の選定を依頼する。【００２８】マスターサーバプログラムは前記広告記事作成者の選定を依頼されると、広告主ＤＢおよび広告記事作成者ＤＢおよび広告記事作成者能力評価ＤＢを参照して、広告主に適した記事作成者を選定し、選定結果を広告主に伝える。【００２９】選定結果を受けた広告主はシステム運営者サイトを経由して選定された広告記事作成者に記事作成を依頼し、広告記事作成者は広告主のページにリンクされた広告記事を、広告記事作成者サイト上に作成する。【００３０】マスターサーバプログラムは常に広告主のページと広告主のページにリンクされた広告をモニターしており、顧客が通信端末から広告主ページにリンクした広告を閲覧し、その広告から広告主のページに移動し、広告主が販売する商品、サービスを購入した場合、広告主ＤＢ，広告記事作成者ＤＢを更新するとともに、広告主に対し記事作成者への報酬支払いを促す動作を行う。【００３１】このようにして、広告主は広告記事作成者のサイトを閲覧することなく、適切な記事作成者を選択できるため、迅速な広告記事作成者への記事作成依頼が可能となり、また広告記事作成者能力評価ＤＢを参照して広告記事作成者を選定するため、広告の効果を高めることができる。【００３２】本発明では、マスターサーバプログラムが広告主ＤＢおよび広告記事作成者ＤＢおよび広告記事作成者能力評価ＤＢを参照して、広告主に適した記事作成者を選定すると説明したが、システム運営者がマニュアルで広告記事作成者能力評価ＤＢを参照して、広告主に適した記事作成者を選定することも、本発明に含まれるものとする。【００３３】図２の実施例２は、本発明の第二の手段を用いた成果報酬型広告記事作成システム構成例である。【００３４】本システムのハードウェアは第一の手段と比べ、広告記事作成者サーバ２００がＳＮＳサーバ２０１に変更されている。【００３５】第一の手段の記事作成者サーバの広告記事作成者サイトは、不特定多数の顧客がアクセスするため、広告主のページにリンクする確率が高いとは言えないが、本例のようにＳＮＳサーバには、趣味や嗜好が類似の顧客がアクセスする確率が高く、また広告主のページにリンクする確率が高い。【００３６】特に記事作成者が芸能人やスポーツ選手、著名人の場合いわゆるファンと呼ばれる応援者、愛好者がおり、このような人々がＳＮＳサーバ上の記事作成者サイトを閲覧し、記事作成者が購入した商品、サービスを自分も利用したいと考え、広告主のページにリンクする確率は高いと言える。【００３７】第一の手段で広告記事作成者の選定が、過去の広告記事作成者能力評価ＤＢに基づいて行われることに加え、第二の手段で広告記事作成者のファンが集いやすいＳＮＳサーバに広告主のページにリンクされた広告を掲載することにより、さらに広告効果を上げることができる。【００３８】参考として、図３に従来例を示す。【００３９】従来例では、図１及び図２にある広告記事作成者能力評価ＤＢや広告記事作成者能力評価プログラムが無く、広告主は広告記事作成者サイトを閲覧して広告記事作成者を選定する手間と時間が必要であった。【００４０】また従来例では、広告記事作成者サイトを閲覧する顧客は不特定多数であり、本発明のＳＮＳのように広告記事作成者に強い関心を持つとは言えず、広告効果が少ないと考えられる。
【符号の説明】
【００４１】１００・・・広告主サーバ
１１０・・・広告主サイト
１１１・・・広告主のページ
２００・・・広告記事作成者サーバ
２０１・・・ＳＮＳサーバ
２１０・・・広告記事作成者サイト
２１１・・・広告主のページにリンクされた広告
３００・・・顧客通信端末
４００・・・インターネット
５００・・・システム運営サーバ
５１０・・・システム運営者サイト
５２０・・・マスターサーバプログラム
５３０・・・広告主ＤＢ
５４０・・・広告記事作成者ＤＢ
５５０・・・広告記事作成者能力評価ＤＢ
５６０・・・広告記事作成者能力評価プログラム
【図１】
2018147454.tif 000003
【図２】
2018147454.tif 000004
【図３】
2018147454.tif 000005